(57)【要約】【課題】光ピックアップから出力される再生信号を処理する信号処理部及び光ピックアップの制御を行う制御部を有する集積回路を実装している制御基板の種類と光ピックアップの種類とを１対１対応させる必要がなく、光ピックアップの種類の識別を実現するために必要なコストアップがほとんどない光ピックアップを提供する。【解決手段】外部からの制御信号（例えばモード切替制御信号）を入力する所定の入力ポート（例えばモード切替用入力ポートＰ１１）と、前記所定の入力ポートに外部からの制御信号が入力されていないときに前記所定の入力ポートを所定の電圧に設定する電圧設定部（例えばプルアップ用の抵抗Ｒ１）とを備える光ピックアップ。【選択図】図２Ａ
2011119004.tif 000002
【特許請求の範囲】
【請求項１】
外部からの制御信号を入力する所定の入力ポートと、
前記所定の入力ポートに外部からの制御信号が入力されていないときに前記所定の入力ポートを所定の電圧に設定する電圧設定部とを備えることを特徴とする光ピックアップ。
【請求項２】
前記所定の入力ポートがＰＤＩＣの入力ポートである請求項１に記載の光ピックアップ。
【請求項３】
前記電圧設定部が、プルアップ用の抵抗、プルダウン用の抵抗、抵抗分圧を生成する複数の抵抗のいずれかを有する請求項１または請求項２に記載の光ピックアップ。
【請求項４】
光ピックアップから出力される再生信号を処理する信号処理部及び前記光ピックアップの制御を行う制御部を有する集積回路であって、
所定の入出力ポートを備え、
前記所定の入出力ポートから制御信号を出力していないときに前記所定の入出力ポートに入力される電圧により、前記光ピックアップの種類を識別し、識別結果に応じた動作を行うことを特徴とする集積回路。
【請求項５】
請求項１〜３のいずれか１項に記載の光ピックアップと、
請求項４に記載の集積回路とを備えることを特徴とする光ディスク装置。
【発明の詳細な説明】
【技術分野】
【０００１】
本発明は、光ディスクに向かって光を出射し、当該光ディスクからの反射光を検出する光ピックアップ、光ピックアップから出力される再生信号を処理する信号処理部及び光ピックアップの制御を行う制御部を有する集積回路、並びにそれらを備えた光ディスク装置に関する。
【背景技術】
【０００２】
光ディスク装置には、光ピックアップを含むローダが搭載されている。
【０００３】
光ディスク装置を製造するメーカでは、コスト削減を図るために、光ピックアップの購入先をより安い価格で仕入れられるメーカに切り替えたり、市場への供給数を増大及び確保するために、複数のメーカから光ピックアップを購入したりすることがある。しかし、光ピックアップの製造メーカの違いによって再生信号特性や制御方法が異なることがある。
【０００４】
また、光ディスク装置を製造するメーカは、一般的に年に１回或いは数回光ピックアップをモデルチェンジしているので、光ピックアップを自社生産する場合や光ピックアップの購入先を一つのメーカにしている場合でも、製造時期の違いによって再生信号特性や制御方法が異なることがある。
【０００５】
上記のような状況のため、同一メーカ製の光ディスク装置に搭載されるローダであっても、その内部に含まれている光ピックアップには複数の種類があり、種類によって再生信号特性や制御方法が異なっている。したがって、光ピックアップから出力される再生信号を処理する信号処理部及び光ピックアップの制御を行う制御部を有する集積回路を実装している制御基板の種類と、光ピックアップの種類とを１対１対応させる必要がある。
【先行技術文献】
【特許文献】
【０００６】
【特許文献１】特開２００６−２０９８７３号公報（要約）
【特許文献２】特開平４−２８７１８５号公報（要約、段落０００９）
【特許文献３】特開平９−１０２６６５号公報（要約）
【発明の概要】
【発明が解決しようとする課題】
【０００７】
しかしながら、サービス対応でローダを交換する際などに、人為的ミスにより制御基板の種類と光ピックアップの種類との対応を誤るおそれがある。制御基板の種類と光ピックアップの種類との対応に誤りがあると、最悪の場合、光ピックアップを破壊させてしまうことになる。
【０００８】
上記人為的ミスに対する対策として、光ピックアップの種類を識別するためのメモリ素子を光ピックアップ内に設ける対策や光ピックアップの種類を識別するための専用ピンを光ピックアップ及び制御基板に設ける対策が考えられているが、このような対策はコストアップに繋がるという問題を有している。
【０００９】
なお、特許文献１では、モードの種類、数、順序がそれぞれ異なるチップセットに対し１種類の受光素子で対応できる光ピックアップが開示されているが、制御基板（特許文献１ではセット基板２）の種類と光ピックアップ（特許文献１では光ピックアップ装置１）の種類との対応を誤るおそれを回避する技術についての開示や示唆は一切ない。
【００１０】
また、特許文献２では、装着されたＩＣカードの種類を判別することができるＩＣカード用ホルダが開示されているが、当該ＩＣカード用ホルダは、判別信号用の専用ピンを設けることにより、装着されたＩＣカードの種類の判別を可能とする構成であるので、専用ピンの追加がコストアップに繋がるという問題を有している。
【００１１】
また、特許文献３では、回路基板上にＩＣ等の電子部品が実装されているか否かを判別する技術が開示されているが、制御基板の種類と光ピックアップの種類との対応を誤るおそれを回避する技術についての開示や示唆は一切ない。
【００１２】
本発明は、上記の状況に鑑み、光ピックアップから出力される再生信号を処理する信号処理部及び光ピックアップの制御を行う制御部を有する集積回路を実装している制御基板の種類と光ピックアップの種類とを１対１対応させる必要がなく、光ピックアップの種類の識別を実現するために必要なコストアップがほとんどない光ピックアップ、光ピックアップから出力される再生信号を処理する信号処理部及び光ピックアップの制御を行う制御部を有する集積回路、並びにそれらを備えた光ディスク装置を提供することを目的とする。
【課題を解決するための手段】
【００１３】
上記目的を達成するために本発明に係る光ピックアップにおいては、外部からの制御信号を入力する所定の入力ポートと、前記所定の入力ポートに外部からの制御信号が入力されていないときに前記所定の入力ポートを所定の電圧に設定する電圧設定部とを備える構成とする。
【００１４】
また、前記所定の入力ポートをＰＤＩＣの入力ポートとしてもよい。
【００１５】
また、前記電圧設定部が、プルアップ用の抵抗、プルダウン用の抵抗、抵抗分圧を生成する複数の抵抗のいずれかを有するようにしてもよい。
【００１６】
また、上記目的を達成するために本発明に係る集積回路においては、光ピックアップから出力される再生信号を処理する信号処理部及び前記光ピックアップの制御を行う制御部を有する集積回路であって、所定の入出力ポートを備え、前記所定の入出力ポートから制御信号を出力していないときに前記所定の入出力ポートに入力される電圧により、前記光ピックアップの種類を識別し、識別結果に応じた動作を行う構成とする。なお、当該集積回路は１パッケージ化されていても複数のパッケージに分割されていても構わない。また、当該集積回路は、前記光ピックアップから出力される再生信号を処理する信号処理の少なくとも一部を行うものであればよく、必ずしも前記光ピックアップから出力される再生信号を処理する信号処理の全部を行うものである必要はない。同様に、当該集積回路は、前記光ピックアップの制御の少なくとも一部を行うものであればよく、必ずしも前記光ピックアップの制御の全てを行うものである必要はない。
【００１７】
また、上記目的を達成するために本発明に係る光ディスク装置は、上記いずれかの構成の光ピックアップと、上記構成の集積回路とを備える構成とする。
【発明の効果】
【００１８】
本発明によると、光ピックアップの電圧設定部が設定した電圧により、集積回路が光ピックアップの種類を識別することができるので、集積回路を実装している制御基板の種類と光ピックアップの種類とを１対１対応させる必要がなくなる。このため、光ディスク再生装置の生産において、光ディスク再生装置に搭載する光ピックアップの種類毎に生産工程を分ける必要がなくなり、また、サービス対応でローダを交換する際などにおいて、人為的ミスにより制御基板の種類と光ピックアップの種類との対応を誤って、光ピックアップを破壊させてしまう懸念がなくなる。
【図面の簡単な説明】
【００１９】
【図１】本発明に係る光ディスク再生装置の概略構成例を示す図である。
【図２Ａ】本発明の第１実施形態に係る光ピックアップの要部内部構成を示す図である。
【図２Ｂ】本発明の第１実施形態に係る光ピックアップの要部内部構成を示す図である。
【図２Ｃ】本発明の第１実施形態に係る光ピックアップの要部内部構成を示す図である。
【図３Ａ】本発明の第２実施形態に係る光ピックアップの要部内部構成を示す図である。
【図３Ｂ】本発明の第２実施形態に係る光ピックアップの要部内部構成を示す図である。
【図３Ｃ】本発明の第２実施形態に係る光ピックアップの要部内部構成を示す図である。
【図４Ａ】本発明の第３実施形態に係る光ピックアップの要部内部構成を示す図である。
【図４Ｂ】本発明の第３実施形態に係る光ピックアップの要部内部構成を示す図である。
【図４Ｃ】本発明の第３実施形態に係る光ピックアップの要部内部構成を示す図である。
【図４Ｄ】本発明の第３実施形態に係る光ピックアップの要部内部構成を示す図である。
【図４Ｅ】本発明の第３実施形態に係る光ピックアップの要部内部構成を示す図である。
【図４Ｆ】本発明の第３実施形態に係る光ピックアップの要部内部構成を示す図である。
【図４Ｇ】本発明の第３実施形態に係る光ピックアップの要部内部構成を示す図である。
【図４Ｈ】本発明の第３実施形態に係る光ピックアップの要部内部構成を示す図である。
【図４Ｉ】本発明の第３実施形態に係る光ピックアップの要部内部構成を示す図である。
【図５Ａ】本発明の第１実施形態の変形例を示す図である。
【図５Ｂ】本発明の第１実施形態の変形例を示す図である。
【図５Ｃ】本発明の第１実施形態の変形例を示す図である。
【図６Ａ】本発明の第１実施形態の他の変形例を示す図である。
【図６Ｂ】本発明の第１実施形態の他の変形例を示す図である。
【図６Ｃ】本発明の第１実施形態の他の変形例を示す図である。
【図７Ａ】ＭＩＤＤＬＥレベルの電圧を省いた場合における本発明の第１実施形態の変形例を示す図である。
【図７Ｂ】ＭＩＤＤＬＥレベルの電圧を省いた場合における本発明の第１実施形態の変形例を示す図である。
【図８Ａ】ＭＩＤＤＬＥレベルの電圧を省いた場合における本発明の第１実施形態の他の変形例を示す図である。
【図８Ｂ】ＭＩＤＤＬＥレベルの電圧を省いた場合における本発明の第１実施形態の他の変形例を示す図である。
【発明を実施するための形態】
【００２０】
本発明の実施形態について図面を参照して以下に説明する。ここでは、本発明に係る光ディスク装置として光ディスク再生装置を例に挙げて説明を行う。
【００２１】
＜＜本発明に係る光ディスク装置の一例＞＞
本発明に係る光ディスク再生装置の概略構成例を図１に示す。図１に示す本発明に係る光ディスク再生装置は、光ディスク１を再生する装置であって、ローダ２と、システムＬＳＩ（Large Scale Integration）３と、出力回路４と、ドライバ５と、表示部６と、操作部７とを備えている。ローダ２は、光ピックアップ２１と、送りモータ２２と、スピンドルモータ２３と、光ディスク１を装着するトレイ（不図示）をローディングするローディング機構（不図示）とを含むユニットである。システムＬＳＩ３は、ＲＦアンプ３１と、ＤＳＰ（Digital Signal Processor）３２と、再生処理回路３３と、ＣＰＵ（Central Processing Unit）３４と、フラッシュメモリ３５とを含んでおり、出力回路４、ドライバ５とともに制御基板（不図示）上に実装されている。
【００２２】
光ピックアップ２１は、光ディスク１に光ビームを照射して、光ディスク１に記録された音声情報、映像情報等の各種情報の読み取りを行う。
【００２３】
光ピックアップ２１により得られた音声情報及び映像情報は、ＲＦアンプ３１、ＤＳＰ３２、再生処理回路３３、及び出力回路４の信号処理により音声及び映像に変換され、それぞれスピーカ及びモニタ（不図示）から出力される。ＲＦアンプ３１は、光ピックアップ２１からの音声信号や映像信号等を増幅する。ＤＳＰ３２及び再生処理回路３３は、ＲＦアンプ３１から出力された信号に対して、再生のための各種情報処理（例えば映像処理等）を施す。出力回路４は、再生処理回路３３から出力された信号を、スピーカ及びモニタ（不図示）に出力するためにＤ／Ａ変換処理等を行う。
【００２４】
ＣＰＵ３４及びドライバ５は、光ピックアップ２１の動作と送りモータ２２及びスピンドルモータ２３からなる駆動部の動作を制御する。ＣＰＵ３４は、操作部７からの情報を受け付けてＤＳＰ３２に伝送するとともに、ＤＳＰ３２からの情報を表示部６に伝送する。また、ドライバ５は、ＤＳＰ３２からの指示に基づいて、光ピックアップ２１の動作と上記駆動部の動作を制御する。
【００２５】
送りモータ２２は、ＤＳＰ３２の指示に基づいて動作するドライバ５によって駆動される。送りモータ２２の駆動によって光ピックアップ２１は光ディスク１の径方向及び厚み方向に移動する。スピンドルモータ２３は、ＤＳＰ３２の指示に基づいて動作するドライバ５によって駆動される。スピンドルモータ２３の駆動によって光ディスク１が回転する。
【００２６】
さらに、ドライバ５は、ＤＰＳ３２の指示に基づいて光ピックアップ２１内の対物レンズ（不図示）のフォーカス制御も行う。
【００２７】
図１に示す本発明に係る光ディスク再生装置の特徴部分は光ピックアップ２１及びシステムＬＳＩ３であるが、その特徴部分の詳細については以下の各実施形態において説明する。
【００２８】
＜＜本発明の第１実施形態に係る光ピックアップ＞＞
次に、本発明の第１実施形態に係る光ピックアップ２１（光ピックアップ２１＿１〜２１＿３）の要部内部構成を図２Ａ〜図２Ｃに示す。本発明の第１実施形態に係る光ピックアップ２１では光ピックアップの種類と光ピックアップ２１＿１〜２１＿３の構成とを対応させている。すなわち、第１の種類の光ピックアップには光ピックアップ２１＿１の構成を割り当て、第２の種類の光ピックアップには光ピックアップ２１＿２の構成を割り当て、第３の種類の光ピックアップには光ピックアップ２１＿３の構成を割り当てるようにしている。
【００２９】
なお、図２Ａ〜図２Ｃにおいて図１と同一の部分には同一の符号を付し、その詳細な説明については適宜省略する。また、図２Ｂ及び図２Ｃにおいて図２Ａと同一の部分には同一の符号を付し、その詳細な説明については適宜省略する。
【００３０】
光ピックアップ２１＿１は、光ディスク１で反射した反射光を検出するＰＤＩＣ（Photo Detector Integrated Circuit）２１１と、プルアップ用の抵抗Ｒ１とを備えている。ＰＤＩＣ２１１は、モード切替用入力ポートＰ１１に入力されたモード切替制御信号に応じてモードの設定を行っている。例えば、モード切替用入力ポートＰ１１にＬＯＷレベルの電圧が入力されたときにはＰＤＩＣ２１１がＯＮ状態となり、モード切替用入力ポートＰ１１にＨＩＧＨレベルの電圧が入力されたときにはＰＤＩＣ２１１がスリープ状態となるようにすればよい。
【００３１】
図１に示す本発明に係る光ディスク再生装置において、システムＬＳＩ３のモード切替用入出力ポートＰ１とＰＤＩＣ２１１のモード切替用入力ポートＰ１１とは、図２Ａに示すように電気的に接続されている。
【００３２】
システムＬＳＩ３がモード切替用入出力ポートＰ１からモード切替制御信号を出力していない場合、システムＬＳＩ３のモード切替用入出力ポートＰ１及びＰＤＩＣ２１１のモード切替用入力ポートＰ１１は抵抗Ｒ１によってプルアップされ、システムＬＳＩ３のモード切替用入出力ポートＰ１にＨＩＧＨレベルの電圧（＝３．３Ｖの電圧）が入力される。
【００３３】
一方、システムＬＳＩ３がモード切替用入出力ポートＰ１からモード切替制御信号を出力している場合、当該モード切替制御信号がＰＤＩＣ２１１のモード切替用入力ポートＰ１１に入力され、そのモード切替用入力ポートＰ１１に入力されたモード切替制御信号に応じてＰＤＩＣ２１１はモードの設定を行っている。
【００３４】
光ピックアップ２１＿２は、光ピックアップ２１＿１のプルアップ用の抵抗Ｒ１をプルダウン用の抵抗Ｒ２を置換した構成である。
【００３５】
図１に示す本発明に係る光ディスク再生装置において、システムＬＳＩ３のモード切替用入出力ポートＰ１とＰＤＩＣ２１１のモード切替用入力ポートＰ１１とは、図２Ｂに示すように電気的に接続されている。
【００３６】
システムＬＳＩ３がモード切替用入出力ポートＰ１からモード切替制御信号を出力していない場合、システムＬＳＩ３のモード切替用入出力ポートＰ１及びＰＤＩＣ２１１のモード切替用入力ポートＰ１１は抵抗Ｒ２によってプルダウンされ、システムＬＳＩ３のモード切替用入出力ポートＰ１にＬＯＷレベルの電圧（＝グランド電圧）が入力される。
【００３７】
一方、システムＬＳＩ３がモード切替用入出力ポートＰ１からモード切替制御信号を出力している場合、当該モード切替制御信号がＰＤＩＣ２１１のモード切替用入力ポートＰ１１に入力され、そのモード切替用入力ポートＰ１１に入力されたモード切替制御信号に応じてＰＤＩＣ２１１はモードの設定を行っている。
【００３８】
光ピックアップ２１＿３は、光ピックアップ２１＿１に抵抗Ｒ２を追加した構成である。抵抗Ｒ２の一端はモード切替用入力ポートＰ１１に接続され、抵抗Ｒ２の他端はグランドに接続される。
【００３９】
図１に示す本発明に係る光ディスク再生装置において、システムＬＳＩ３のモード切替用入出力ポートＰ１とＰＤＩＣ２１１のモード切替用入力ポートＰ１１とは、図２Ｃに示すように電気的に接続されている。
【００４０】
システムＬＳＩ３がモード切替用入出力ポートＰ１からモード切替制御信号を出力していない場合、システムＬＳＩ３のモード切替用入出力ポートＰ１及びＰＤＩＣ２１１のモード切替用入力ポートＰ１１それぞれに、ＭＩＤＤＬＥレベルの電圧（＝抵抗Ｒ１及びＲ１による抵抗分圧）が入力される。
【００４１】
一方、システムＬＳＩ３がモード切替用入出力ポートＰ１からモード切替制御信号を出力している場合、当該モード切替制御信号がＰＤＩＣ２１１のモード切替用入力ポートＰ１１に入力され、そのモード切替用入力ポートＰ１１に入力されたモード切替制御信号に応じてＰＤＩＣ２１１はモードの設定を行っている。
【００４２】
したがって、システムＬＳＩ３は、モード切替用入出力ポートＰ１からモード切替制御信号を出力していないときにモード切替用入出力ポートＰ１の電圧を読み取ることで、接続されている光ピックアップが光ピックアップ２１＿１〜２１＿３のいずれであるか、すなわち、接続されている光ピックアップが第１の種類〜第３の種類のいずれであるかを識別することができる。具体的には、システムＬＳＩ３は、モード切替用入出力ポートＰ１からモード切替制御信号を出力していないときのモード切替用入出力ポートＰ１の電圧値を光ピックアップ２１の種類毎に予め記憶しているフラッシュメモリ３５から、モード切替用入出力ポートＰ１からモード切替制御信号を出力していないときに読み取ったモード切替用入出力ポートＰ１の電圧に対応する光ピックアップ２１の種類を読み出し、接続されている光ピックアップが第１の種類〜第３の種類のいずれであるかを識別する。
【００４３】
システムＬＳＩ３は、光ピックアップ２１から出力される再生信号の処理及び光ピックアップ２１の制御に関する情報（設定パラメータ等）を光ピックアップ２１の種類毎に予め記憶しているフラッシュメモリ３５から、識別した光ピックアップ２１の種類に対応する情報を読み出し、その読み出した情報に応じた動作を行う。
【００４４】
上記のような構成及び動作により、システムＬＳＩ３を実装している制御基板の種類と光ピックアップ２１の種類とを１対１対応させる必要がなくなる。このため、光ディスク再生装置の生産において、光ディスク再生装置に搭載する光ピックアップ２１の種類毎に生産工程を分ける必要がなくなり、また、サービス対応でローダ２を交換する際などにおいて、人為的ミスにより制御基板の種類と光ピックアップ２１の種類との対応を誤って、光ピックアップ２１を破壊させてしまう懸念がなくなる。
【００４５】
さらに、光ピックアップ２１の種類を識別するためのメモリ素子や専用ピンを新たに設ける必要がなく、モード切替用入出力ポートＰ１からモード切替制御信号を出力していないときにモード切替用入出力ポートＰ１の電圧を設定する手段（本実施形態では抵抗Ｒ１及び／又は抵抗Ｒ２）のみの追加でよいので、光ピックアップ２１の種類の識別を実現するために必要なコストアップがほとんどない。
【００４６】
＜＜本発明の第２実施形態に係る光ピックアップ＞＞
次に、本発明の第２実施形態に係る光ピックアップ２１（光ピックアップ２１＿４〜２１＿６）の要部内部構成を図３Ａ〜図３Ｃに示す。本発明の第２実施形態に係る光ピックアップ２１では光ピックアップの種類と光ピックアップ２１＿４〜２１＿６の構成とを対応させている。すなわち、第１の種類の光ピックアップには光ピックアップ２１＿４の構成を割り当て、第２の種類の光ピックアップには光ピックアップ２１＿５の構成を割り当て、第３の種類の光ピックアップには光ピックアップ２１＿６の構成を割り当てるようにしている。
【００４７】
なお、図３Ａ〜図３Ｃにおいて図１と同一の部分には同一の符号を付し、その詳細な説明については適宜省略する。また、図３Ｂ及び図３Ｃにおいて図３Ａと同一の部分には同一の符号を付し、その詳細な説明については適宜省略する。
【００４８】
光ピックアップ２１＿４は、光ディスク１で反射した反射光を検出するＰＤＩＣ２１１と、プルアップ用の抵抗Ｒ３とを備えている。ＰＤＩＣ２１１は、ゲイン切替用入力ポートＰ１２に入力されたゲイン切替制御信号に応じてゲインの設定を行っている。例えば、ゲイン切替用入力ポートＰ１２にＬＯＷレベルの電圧が入力されたときにはＰＤＩＣ２１１のゲインが第１のゲイン値となり、ゲイン切替用入力ポートＰ１２にＭＩＤＤＬＥレベルの電圧が入力されたときにはＰＤＩＣ２１１のゲインが第２のゲイン値となり、ゲイン切替用入力ポートＰ１２にＨＩＧＨレベルの電圧が入力されたときにはＰＤＩＣ２１１のゲインが第３のゲイン値となるようにすればよい。
【００４９】
図１に示す本発明に係る光ディスク再生装置において、システムＬＳＩ３のゲイン切替用入出力ポートＰ２とＰＤＩＣ２１１のゲイン切替用入力ポートＰ１２とは、図３Ａに示すように電気的に接続されている。
【００５０】
システムＬＳＩ３がゲイン切替用入出力ポートＰ２からゲイン切替制御信号を出力していない場合、システムＬＳＩ３のゲイン切替用入出力ポートＰ２及びＰＤＩＣ２１１のゲイン切替用入力ポートＰ１２は抵抗Ｒ３によってプルアップされ、システムＬＳＩ３のゲイン切替用入出力ポートＰ２にＨＩＧＨレベルの電圧（＝３．３Ｖの電圧）が入力される。
【００５１】
一方、システムＬＳＩ３がゲイン切替用入出力ポートＰ２からゲイン切替制御信号を出力している場合、当該ゲイン切替制御信号がＰＤＩＣ２１１のゲイン切替用入力ポートＰ１２に入力され、そのゲイン切替用入力ポートＰ１２に入力されたゲイン切替制御信号に応じてＰＤＩＣ２１１はゲインの設定を行っている。
【００５２】
光ピックアップ２１＿５は、光ピックアップ２１＿４のプルアップ用の抵抗Ｒ３をプルダウン用の抵抗Ｒ４を置換した構成である。
【００５３】
図１に示す本発明に係る光ディスク再生装置において、システムＬＳＩ３のゲイン切替用入出力ポートＰ２とＰＤＩＣ２１１のゲイン切替用入力ポートＰ１２とは、図３Ｂに示すように電気的に接続されている。
【００５４】
システムＬＳＩ３がゲイン切替用入出力ポートＰ２からゲイン切替制御信号を出力していない場合、システムＬＳＩ３のゲイン切替用入出力ポートＰ２及びＰＤＩＣ２１１のゲイン切替用入力ポートＰ１２は抵抗Ｒ４によってプルダウンされ、システムＬＳＩ３のゲイン切替用入出力ポートＰ２にＬＯＷレベルの電圧（＝グランド電圧）が入力される。
【００５５】
一方、システムＬＳＩ３がゲイン切替用入出力ポートＰ２からゲイン切替制御信号を出力している場合、当該ゲイン切替制御信号がＰＤＩＣ２１１のゲイン切替用入力ポートＰ１２に入力され、そのゲイン切替用入力ポートＰ１２に入力されたゲイン切替制御信号に応じてＰＤＩＣ２１１はゲインの設定を行っている。
【００５６】
光ピックアップ２１＿６は、光ピックアップ２１＿３に抵抗Ｒ４を追加した構成である。抵抗Ｒ４の一端はゲイン切替用入力ポートＰ１２に接続され、抵抗Ｒ４の他端はグランドに接続される。
【００５７】
図１に示す本発明に係る光ディスク再生装置において、システムＬＳＩ３のゲイン切替用入出力ポートＰ２とＰＤＩＣ２１１のゲイン切替用入力ポートＰ１２とは、図３Ｃに示すように電気的に接続されている。
【００５８】
システムＬＳＩ３がゲイン切替用入出力ポートＰ２からゲイン切替制御信号を出力していない場合、システムＬＳＩ３のゲイン切替用入出力ポートＰ２及びＰＤＩＣ２１１のゲイン切替用入力ポートＰ１２それぞれに、ＭＩＤＤＬＥレベルの電圧（＝抵抗Ｒ３及びＲ４による抵抗分圧）が入力される。
【００５９】
一方、システムＬＳＩ３がゲイン切替用入出力ポートＰ２からゲイン切替制御信号を出力している場合、当該ゲイン切替制御信号がＰＤＩＣ２１１のゲイン切替用入力ポートＰ１２に入力され、そのゲイン切替用入力ポートＰ１２に入力されたゲイン切替制御信号に応じてＰＤＩＣ２１１はゲインの設定を行っている。
【００６０】
したがって、システムＬＳＩ３は、ゲイン切替用入出力ポートＰ２からゲイン切替制御信号を出力していないときにゲイン切替用入出力ポートＰ２の電圧を読み取ることで、接続されている光ピックアップが光ピックアップ２１＿４〜２１＿６のいずれであるか、すなわち、接続されている光ピックアップが第１の種類〜第３の種類のいずれであるかを識別することができる。具体的には、システムＬＳＩ３は、ゲイン切替用入出力ポートＰ２からゲイン切替制御信号を出力していないときのゲイン切替用入出力ポートＰ２の電圧値を光ピックアップ２１の種類毎に予め記憶しているフラッシュメモリ３５から、ゲイン切替用入出力ポートＰ２からモード切替制御信号を出力していないときに読み取ったゲイン切替用入出力ポートＰ２の電圧に対応する光ピックアップ２１の種類を読み出し、接続されている光ピックアップが第１の種類〜第３の種類のいずれであるかを識別する。
【００６１】
システムＬＳＩ３は、光ピックアップ２１から出力される再生信号の処理及び光ピックアップ２１の制御に関する情報（設定パラメータ等）を光ピックアップ２１の種類毎に予め記憶しているフラッシュメモリ３５から、識別した光ピックアップ２１の種類に対応する情報を読み出し、その読み出した情報に応じた動作を行う。
【００６２】
上記のような構成及び動作により、システムＬＳＩ３を実装している制御基板の種類と光ピックアップ２１の種類とを１対１対応させる必要がなくなる。このため、光ディスク再生装置の生産において、光ディスク再生装置に搭載する光ピックアップ２１の種類毎に生産工程を分ける必要がなくなり、また、サービス対応でローダ２を交換する際などにおいて、人為的ミスにより制御基板の種類と光ピックアップ２１の種類との対応を誤って、光ピックアップ２１を破壊させてしまう懸念がなくなる。
【００６３】
さらに、光ピックアップ２１の種類を識別するためのメモリ素子や専用ピンを新たに設ける必要がなく、ゲイン切替用入出力ポートＰ２からゲイン切替制御信号を出力していないときにゲイン切替用入出力ポートＰ２の電圧を設定する手段（本実施形態では抵抗Ｒ３及び／又は抵抗Ｒ４）のみの追加でよいので、光ピックアップ２１の種類の識別を実現するために必要なコストアップがほとんどない。
【００６４】
＜＜本発明の第３実施形態に係る光ピックアップ＞＞
次に、本発明の第３実施形態に係る光ピックアップ２１（光ピックアップ２１＿７〜２１＿１５）の要部内部構成を図４Ａ〜図４Ｉに示す。本発明の第３実施形態に係る光ピックアップ２１では光ピックアップの種類と光ピックアップ２１＿７〜２１＿１５の構成とを対応させている。すなわち、第１の種類の光ピックアップには光ピックアップ２１＿７の構成を割り当て、第２の種類の光ピックアップには光ピックアップ２１＿８の構成を割り当て、第３の種類の光ピックアップには光ピックアップ２１＿９の構成を割り当て、第４の種類の光ピックアップには光ピックアップ２１＿１０の構成を割り当て、第５の種類の光ピックアップには光ピックアップ２１＿１１の構成を割り当て、第６の種類の光ピックアップには光ピックアップ２１＿１２の構成を割り当て、第７の種類の光ピックアップには光ピックアップ２１＿１３の構成を割り当て、第８の種類の光ピックアップには光ピックアップ２１＿１４の構成を割り当て、第９の種類の光ピックアップには光ピックアップ２１＿１５の構成を割り当てるようにしている。
【００６５】
なお、図４Ａ〜図４Ｉにおいて図１、図２Ａ〜図２Ｃ、及び図３Ａ〜図３Ｃと同一の部分には同一の符号を付し、その詳細な説明については適宜省略する。
【００６６】
本発明の第３実施形態は本発明の第１実施形態と本発明の第２実施形態を組み合わせた実施形態である。したがって、本発明の第３実施形態では、システムＬＳＩ３は、モード切替用入出力ポートＰ１からモード切替制御信号を出力していないときにモード切替用入出力ポートＰ１の電圧を読み取り、ゲイン切替用入出力ポートＰ２からゲイン切替制御信号を出力していないときにゲイン切替用入出力ポートＰ２の電圧を読み取ることで、接続されている光ピックアップが光ピックアップ２１＿７〜２１＿１５のいずれであるか、すなわち、接続されている光ピックアップが第１の種類〜第９の種類のいずれであるかを識別することができる。本発明の第１実施形態と本発明の第２実施形態がそれぞれ３種類の光ピックアップ２１の識別が可能な実施形態であるのに対して、本発明の第３実施形態は９種類の光ピックアップ２１の識別が可能な実施形態である。なお、それ以外の点については、本発明の第３実施形態は本発明の第１実施形態、本発明の第２実施形態それぞれと同様の効果を奏する。
【００６７】
＜＜その他＞＞
以上、本発明に係る実施形態について説明したが、本発明の範囲はこれに限定されるものではなく、発明の主旨を逸脱しない範囲で種々の変更を加えて実行することができる。以下にいくつかの例を示す。
【００６８】
第１実施形態の変形例として、図５Ａ〜図５Ｃや図６Ａ〜図６Ｃに示す構成が考えられる。図５Ａ及び図６Ａはそれぞれ図２Ａに対応し、図５Ｂ及び図６Ｂはそれぞれ図２Ｂに対応し、図５Ｃ及び図６Ｃはそれぞれ図２Ｃに対応している。図５Ａ及び図５Ｂは例えば光ピックアップ２１内に設けられているＦＰＣ（FlexiblePrintedCircuit）の一部を切断することで実現することができ、図６Ａ〜図６Ｃは光ピックアップ２１内にメカニカルスイッチＳＷ１及びＳＷ２を追加して設けることで実現することができる。このような変形例では、光ピックアップ２１の種類にかかわらず、システムＬＳＩ３からの制御信号がないときにモード切替用入力ポートＰ１１の電圧を設定する手段を共通化して生産することができ、光ピックアップ２１の生産の最終段階において、光ピックアップ２１の種類に応じてＦＰＣの切断あるいは非切断やメカニカルスイッチの設定を実施するだけでよいという利点がある。
【００６９】
上述した実施形態において、例えばＭＩＤＤＬＥレベルの電圧を省くと、第１実施形態、第２実施形態では２種類の光ピックアップの識別となり、第３実施形態では４種類の光ピックアップの識別となる。このようにＭＩＤＤＬＥレベルの電圧を省いた場合の第１実施形態の変形例として、図７Ａ及び図７Ｂや図８Ａ及び図８Ｂに示す構成が考えられる。図７Ａ及び図８Ａはそれぞれ図２Ａに対応し、図７Ｂ及び図８Ｂはそれぞれ図２Ｂに対応している。図７Ａ及び図７Ｂは例えば光ピックアップ２１内に設けられているＦＰＣの一部を切断することで実現することができ、図８Ａ及び図８Ｂは光ピックアップ２１内にメカニカルスイッチＳＷ１を追加して設けることで実現することができる。このような変形例では、光ピックアップ２１の種類にかかわらず、システムＬＳＩ３からの制御信号がないときにモード切替用入力ポートＰ１１の電圧を設定する手段を共通化して生産することができ、光ピックアップ２１の生産の最終段階において、光ピックアップ２１の種類に応じてＦＰＣの切断あるいは非切断やメカニカルスイッチの設定を実施するだけでよいという利点がある。
【００７０】
上述した実施形態では、モード切替用入力ポートＰ１１やゲイン切替用入力ポートＰ１２にシステムＬＳＩ３からの制御信号がないときにモード切替用入力ポートＰ１１やゲイン切替用入力ポートＰ１２の電圧を設定する手段を設けたが、モード切替用入力ポートＰ１１やゲイン切替用入力ポートＰ１２以外のポートに同様の電圧設定手段を設け、システムＬＳＩ３が制御信号を出力していないときに当該電圧設定手段により設定された電圧を読み取って、光ピックアップの種類を識別するようにしてもよい。モード切替用入力ポートＰ１１やゲイン切替用入力ポートＰ１２以外のポートとしては、例えば光ピックアップがＤＶＤ（Digital Versatile Disc）／ＣＤ（Compact Disc）に対応している場合のＤＶＤ／ＣＤ切替用入力ポートが挙げられる。
【００７１】
また、ゲインの設定値を確保するために、通常ゲイン切替用入力ポートは複数設けられているため、例えば第３実施形態においてモード切替用入力ポートＰ１１の代わりにゲイン切替用入力ポートＰ１２以外のゲイン切替用入力ポートを用いるようにしてもよい。
【００７２】
上述した実施形態では本発明に係る光ディスク装置として光ディスク再生装置を例に挙げて説明を行ったが、その他の光ディスク装置（例えば光ディスク記録再生装置）においおいても本発明を適用することができる。
【００７３】
また、システムＬＳＩの形態は様々なものが考えられる。例えば、システムＬＳＩが出力回路の一部又は全部を含んでいてもよい。また、フラッシュメモリの代わりに他の不揮発性メモリを含むようにしてもよく、フラッシュメモリ等の不揮発性メモリを含まずに外付けの不揮発性メモリに接続される形態であっても構わない。
【符号の説明】
【００７４】
１  光ディスク
２  ローダ
３  システムＬＳＩ（集積回路の一例）
４  出力回路
５  ドライバ
６  表示部
７  操作部
２１  光ピックアップ
２１＿１〜２１＿３
２２  送りモータ
２３  スピンドルモータ
３１  ＲＦアンプ
３２  ＤＳＰ
３３  再生処理回路
３４  ＣＰＵ
３５  フラッシュメモリ
２１１  ＰＤＩＣ
Ｐ１  モード切替用入出力ポート
Ｐ２  ゲイン切替用入出力ポート
Ｐ１１  モード切替用入力ポート
Ｐ１２  ゲイン切替用入力ポート
Ｒ１〜Ｒ４  抵抗（電圧設定部の構成部品例）
ＳＷ１、ＳＷ２  メカニカルスイッチ
【図１】
2011119004.tif 000003
【図２Ａ】
2011119004.tif 000004
【図２Ｂ】
2011119004.tif 000005
【図２Ｃ】
2011119004.tif 000006
【図３Ａ】
2011119004.tif 000007
【図３Ｂ】
2011119004.tif 000008
【図３Ｃ】
2011119004.tif 000009
【図４Ａ】
2011119004.tif 000010
【図４Ｂ】
2011119004.tif 000011
【図４Ｃ】
2011119004.tif 000012
【図４Ｄ】
2011119004.tif 000013
【図４Ｅ】
2011119004.tif 000014
【図４Ｆ】
2011119004.tif 000015
【図４Ｇ】
2011119004.tif 000016
【図４Ｈ】
2011119004.tif 000017
【図４Ｉ】
2011119004.tif 000018
【図５Ａ】
2011119004.tif 000019
【図５Ｂ】
2011119004.tif 000020
【図５Ｃ】
2011119004.tif 000021
【図６Ａ】
2011119004.tif 000022
【図６Ｂ】
2011119004.tif 000023
【図６Ｃ】
2011119004.tif 000024
【図７Ａ】
2011119004.tif 000025
【図７Ｂ】
2011119004.tif 000026
【図８Ａ】
2011119004.tif 000027
【図８Ｂ】
2011119004.tif 000028